【手続補正書】
【提出日】平成18年2月3日(2006.2.3)
【手続補正１】
【補正対象書類名】明細書
【補正対象項目名】発明の名称
【補正方法】変更
【補正の内容】
【発明の名称】情報システムおよびその制御方法、プログラム
【手続補正２】
【補正対象書類名】明細書
【補正対象項目名】特許請求の範囲
【補正方法】変更
【補正の内容】
【特許請求の範囲】
【請求項１】家庭内の１つまたは複数の端末機器からの情報を通信手段を介して情報機器へ収集することができる情報受信手段と、前記端末機器の一部がセンサから構成されており、前記端末機器へ機能設定情報を送信するための情報送信手段と、前記情報機器に前記端末機器の機能設定を表示するための設定手段と、前記設定手段上で前記センサの設定モードを在室者の行動に合わせて設定することができる設定モード変更機能とから構成されており、
前記設定モードは人が家に居ない場合の外出警戒設定と、人が家に居る場合の在宅警戒設定と、前記警戒設定を解除する場合の警戒設定解除と、前記端末機器の機能設定を行うための条件を設定・変更する場合とから構成されることを特徴とする情報システム。
【請求項２】家庭内の１つまたは複数の端末機器からの情報を通信手段を介して情報機器へ収集することができる情報受信手段と、前記端末機器の一部がセンサから構成されており、前記端末機器へ機能設定情報を送信するための情報送信手段と、前記情報機器に前記端末機器の機能設定を表示するための設定手段と、前記設定手段上で前記センサの設定モードを在室者の行動に合わせて設定することができる設定モード変更機能とから構成されており、
前記設定モードのうち警戒設定解除状態から、人が家に居ない場合の外出警戒状態または人が家に居る場合の在宅警戒状態へとそれぞれ移行するまでの時間を設定条件を設定するモードで変更することができる構成とからなることを特徴とする情報システム。
【請求項３】家庭内の１つまたは複数の端末機器からの情報を通信手段を介して情報機器へ収集することができる情報受信手段と、前記端末機器の一部がセンサから構成されており、前記端末機器へ機能設定情報を送信するための情報送信手段と、前記情報機器に前記端末機器の機能設定を表示するための設定手段と、前記設定手段上で前記センサの設定モードを在室者の行動に合わせて設定することができる設定モード変更機能とから構成されており、
前記設定モードのうち警戒設定解除状態から、人が家に居ない場合の外出警戒状態または
人が家に居る場合の在宅警戒状態へとそれぞれ移行する時に、該当センサの状態を確認し、警戒状態に移行できない時は警告手段を表示することができる構成とからなることを特徴とする情報システム。
【請求項４】家庭内の１つまたは複数の端末機器からの情報を通信手段を介して情報機器へ収集することができる情報受信手段と、前記端末機器の一部がセンサから構成されており、前記端末機器へ機能設定情報を送信するための情報送信手段と、前記情報機器に前記端末機器の機能設定を表示するための設定手段と、前記設定手段上で前記センサの設定モードを在室者の行動に合わせて設定することができる設定モード変更機能とから構成されており、
前記設定モードのうち人が家に居ない場合の外出警戒状態、または人が家に居る場合の在宅警戒状態に設定されている時、前記警戒状態を暗証番号を用いて解除することができる構成とからなることを特徴とする情報システム。
【請求項５】家庭内の１つまたは複数の端末機器からの情報を通信手段を介して情報機器へ収集することができる情報受信手段と、前記端末機器の一部がセンサから構成されており、前記端末機器へ機能設定情報を送信するための情報送信手段と、前記情報機器に前記端末機器の機能設定を表示するための設定手段と、前記設定手段上で前記センサの設定モードを在室者の行動に合わせて設定することができる設定モード変更機能とから構成されており、
前記設定モードにおいて人が家に居ない場合の外出警戒状態および人が家に居る場合の在宅警戒状態を解除するための暗証番号を、設定モードで設定することができ、前記暗証番号を外部サーバーに送信し記憶させる構成とからなることを特徴とする情報システム。
【請求項６】家庭内の１つまたは複数の端末機器からの情報を通信手段を介して情報機器へ収集することができる情報受信手段と、前記端末機器の一部がセンサから構成されており、前記端末機器へ機能設定情報を送信するための情報送信手段と、前記情報機器に前記端末機器の機能設定を表示するための設定手段と、前記設定手段上で前記センサの設定モードを在室者の行動に合わせて設定することができる設定モード変更機能とから構成されており、
前記設定モードにおいて人が家に居ない場合の外出警戒状態および人が家に居る場合の在宅警戒状態の時に前記センサが反応した時通知する外線電話番号を設定モードで設定し、前記設定した外線電話に対してセンサを反応させずにテスト通話することができる構成とからなることを特徴とする情報システム。
【請求項７】家庭内の１つまたは複数の端末機器からの情報を通信手段を介して情報機器へ収集することができる情報受信手段と、前記端末機器の一部がセンサから構成されており、前記端末機器へ機能設定情報を送信するための情報送信手段と、前記情報機器に前記端末機器の機能設定を表示するための設定手段と、前記設定手段上で前記センサの設定モードを在室者の行動に合わせて設定することができる設定モード変更機能とから構成されており、
前記設定モードにおいて人が家に居ない場合の外出警戒状態および人が家に居る場合の在宅警戒状態の時に前記センサが反応した時通知する外線電話番号を設定モードで設定し、前記外線電話番号のかかり先の内容も登録することができる構成とからなることを特徴とする情報システム。
【請求項８】家庭内の１つまたは複数の端末機器からの情報を通信手段を介して情報機器へ収集することができる情報受信手段と、前記端末機器の一部がセンサから構成されており、前記端末機器へ機能設定情報を送信するための情報送信手段と、前記情報機器に前記端末機器の機能設定を表示するための設定手段と、前記設定手段上で前記センサの設定モードを在室者の行動に合わせて設定することができる設定モード変更機能とから構成されており、
前記センサの設定モードを外部の通信装置から外部サーバーを経由して確認することができ、前記設定モードを人が家に居ない場合の外出警戒設定にすることができる手段と、前記外出警戒設定を解除することができる手段とから構成されることを特徴とする情報シス
テム。
【請求項９】家庭内の１つまたは複数の端末機器からの情報を通信手段を介して収集することができる情報機器と、前記情報機器へ通信手段を介して情報を送受信することができる端末機器と、前記端末機器の一部がセンサから構成されており、前記センサの設定モードを在室者の行動に合わせて設定することができる情報システムにおいて、
前記設定モードのうち人が家に居ない場合の外出警戒モードと、人が家に居る場合の在宅警戒モードと、前記警戒モードを解除するための警戒設定解除と、設定条件を設定するための設定モードから構成され、それらを選択するステップと、前記警戒モードに設定する前に前記それぞれの設定モードにおいて、警戒に必要な時間条件を設定するステップとからなることを特徴とする情報システムの制御方法。
【請求項１０】家庭内の１つまたは複数の端末機器からの情報を通信手段を介して収集することができる情報機器と、前記情報機器へ通信手段を介して情報を送受信することができる端末機器と、前記端末機器の一部がセンサから構成されており、前記センサの設定モードを在室者の行動に合わせて設定することができる情報システムにおいて、
前記設定モードのうち人が家に居ない場合の外出警戒モードと、人が家に居る場合の在宅警戒モードと、前記警戒モードを解除するための警戒設定解除と、設定条件を設定するための設定モードから構成され、それらを選択するステップと、前記警戒モードに設定する前に前記それぞれの設定モードにおいて、警戒に必要な特有の設定条件を個別に設定するステップとからなることを特徴とする情報システムの制御方法。
【請求項１１】請求項１〜８のいずれかに記載の情報システムの少なくとも一部をコンピュータに実行させるためのプログラム。